(57)【要約】      （修正有）【課題】通常計測時と再生計測時における計測状況の判別を明確にすることができる超音波観測システムを提供する。【解決手段】超音波振動子２から得られた超音波信号に基づいて画像を生成する画像生成手段３と、画像生成手段において生成された超音波画像を記憶する記憶手段４と、記憶手段が記憶している超音波画像を再生する再生手段５と、画像生成手段において生成されたリアルタイムの超音波画像または再生手段によって再生された再生超音波画像を表示するモニタ６と、モニタに表示される超音波画像に重ねられる所定形状の指標画像を表示させるための指標画像表示手段７と、指標画像を使用してモニタ上で超音波画像の所定の距離を計測する計測手段８とを備え、指標画像表示手段は複数の指標画像形状を表示しリアルタイムの超音波画像と再生超音波画像とで指標画像の形状を切り替えて表示する。【選択図】図１
0003188890.tif 000002
【実用新案登録請求の範囲】
【請求項１】
被検体に対して超音波を送信し、前記被検体により反射された前記超音波を受信して、受信した前記超音波から得られる超音波信号に基づき画像を生成する超音波観測装置であって、
前記被検体に対して前記超音波を送信し、前記被検体により反射された前記超音波を受信して、受信した前記超音波から前記超音波信号を生成する超音波振動子と、
前記超音波振動子から得られた超音波信号に基づいて画像を生成する画像生成手段と、
前記画像生成手段において生成された超音波画像を記憶する記憶手段と、
前記記憶手段が記憶している超音波画像を再生する再生手段と、
前記画像生成手段において生成されたリアルタイムの超音波画像または前記再生手段によって再生された再生超音波画像を表示するモニタと、
前記モニタに表示される超音波画像に重ねられる所定形状の指標画像を表示させるための指標画像表示手段と、
前記指標画像を使用して、前記モニタ上で超音波画像の所定の距離を計測する計測手段と、
を備え、
前記指標画像表示手段は、複数の指標画像形状を表示し、前記リアルタイムの超音波画像と前記再生超音波画像とで前記指標画像の形状を切り替えて表示することを特徴とする超音波観測装置。
【考案の詳細な説明】
【技術分野】
【０００１】
本考案は、超音波を用いて体内の形状、性状または動態を可視化し、超音波検査を行う超音波プローブまたは電子走査型超音波内視鏡もしくは機械式走査型超音波内視鏡を接続可能な超音波観測装置を有する超音波観測システムに関する。
【背景技術】
【０００２】
従来より、超音波観測装置は、接続される超音波プローブまたは超音波内視鏡の超音波振動子から超音波パルスを生体組織に繰り返し送信し、この生体組織から反射される超音波パルスのエコー信号を受信して、生体内の情報を可視像の超音波断層画像として生成し、モニタ等の表示部に表示させている。
【０００３】
この種の超音波観測装置は、表示されている超音波断層画像に対して各種の計測を行うことができる。たとえば、画像上の２点間距離の計測またはトレースした軌跡の長さを計測する機能を備え、さらには、これら計測を行った計測状況を表示部に表示する技術が知られている。
【考案の概要】
【考案が解決しようとする課題】
【０００４】
前記超音波観測装置は、上述したように超音波断層画像に対して各種の計測を行うことができるが、記録した画像を後で再生して当該画像上における所定の計測を行うこともできる。
【０００５】
このとき、たとえば、記録した時点における画像に関して所定の計測を実施していると、そのときの計測状況が表示された状態で記録されてしまい、後で再生して計測しようとしたときに、その表示されている計測状況が記録時点での計測によるものなのか、再生時に後から計測しようとしているものなのかを判別するのが困難であった。
【０００６】
本考案は上述した点に鑑みてなされたもので、通常計測時と再生計測時における計測状況の判別を明確にすることができる超音波観測システムを提供することを目的とする。
【課題を解決するための手段】
【０００７】
本考案の一態様は、被検体に対して超音波を送信し、前記被検体により反射された前記超音波を受信して、受信した前記超音波から得られる超音波信号に基づき画像を生成する超音波観測システムであって、前記被検体に対して前記超音波を送信し、前記被検体により反射された前記超音波を受信して、受信した前記超音波から前記超音波信号を生成する超音波振動子と、前記超音波振動子から得られた超音波信号に基づいて画像を生成する画像生成手段と、前記画像生成手段において生成された超音波画像を記憶する記憶手段と、前記記憶部が記憶している超音波画像を再生する再生手段と、前記画像生成手段において生成されたリアルタイムの超音波画像または前記再生手段によって再生された再生超音波画像を表示するモニタと、前記モニタに表示される超音波画像に重ねられる所定形状の指標画像を表示させるための指標画像表示手段と、前記指標画像を使用して、前記モニタ上で超音波画像の所定の距離を計測する計測手段と、を備え、前記指標画像表示手段は、複数の指標画像形状を表示し、前記リアルタイムの超音波画像と前記再生超音波画像とで前記指標画像の形状を切り替えて表示する。
【考案の効果】
【０００８】
本考案によれば、通常計測時と再生計測時における計測状況の判別を明確にすることができる。
【図面の簡単な説明】
【０００９】
【図１】図１は、本考案の第１実施形態の超音波観測システムの構成を示す図。
【図２】図２は、本考案の第１実施形態の超音波観測システムにおける、通常計測時の表示状態を示した図。
【図３】図３は、本考案の第１実施形態の超音波観測システムにおける、再生計測時の表示状態を示した図。
【図４】図４は、本考案の第２実施形態の超音波観測システムにおけるキーボードの一例を示した図。
【図５】図５は、本考案の第２実施形態の超音波観測システムにおけるタッチパネル画面の一例を示した図。
【図６】図６は、本考案の第２実施形態の超音波観測システムにおける観察モニター画面の一例を示した図。
【図７】図７は、本考案の第２実施形態の超音波観測システムにおけるＢモードの表示画面の一例を示した図。
【図８】図８は、本考案の第４実施形態の超音波観測システムにおいて子画面（サブスクリーン）の表示位置のバリエーションを示した図
【図９】図９は、本考案の第５実施形態の超音波観測システムにおけるキーボードの一例を示した図。
【図１０】図１０は、本考案の第５実施形態の超音波観測システムにおける観察モニター画面の一例を示した図。
【図１１】図１１は、本考案の第６実施形態の超音波観測システムにおけるタッチパネル画面の一例を示した図。
【図１２】図１２は、本考案の第６実施形態の超音波観測システムにおけるタッチパネル画面の他の例を示した図。
【図１３】図１３は、本考案の第６実施形態の超音波観測システムにおけるタッチパネル画面の他の例を示した図。
【図１４】図１４は、本考案の第６実施形態の超音波観測システムにおける観察モニター画面の一例を示した図。
【図１５】図１５は、本考案の第７実施形態の超音波観測システムにおける観察モニター画面におけるプログレスバーの一例を示した図。
【図１６】図１６は、本考案の第８実施形態の超音波観測システムにおける観察モニター画面におけるプログレスバーの一例を示した図。
【図１７】図１７は、本考案の第９実施形態の超音波観測システムにおけるキーボードの一例を示した図。
【図１８】図１８は、本考案の第９実施形態の超音波観測システムにおける観察モニター画面の一例を示した図。
【図１９】図１９は、本考案の第９実施形態の超音波観測システムにおける観察モニター画面の他の例を示した図。
【図２０】図２０は、本考案の第９実施形態の超音波観測システムにおけるコメントテキストの一例を示した図。
【図２１】図２１は、本考案の第１０実施形態の超音波観測システムにおける観察モニター画面の一例を示した図。
【図２２】図２２は、本考案の第１２実施形態の超音波観測システムにおけるキーボードの一例を示した図。
【図２３】図２３は、本考案の第１２実施形態の超音波観測システムにおけるタッチパネル画面の一例を示した図。
【図２４】図２４は、本考案の第１２実施形態の超音波観測システムにおけるタッチパネル画面の他の例を示した図。
【図２５】図２５は、本考案の第１２実施形態の超音波観測システムにおける観察モニター画面の一例を示した図。
【図２６】図２６は、本考案の第１２実施形態の超音波観測システムにおけるタッチパネル画面の他の例を示した図。
【図２７】図２７は、本考案の第１３実施形態の超音波観測システムにおけるキーボードの一例を示した図。
【図２８】図２８は、本考案の第１３実施形態の超音波観測システムにおけるタッチパネル画面の一例を示した図。
【図２９】図２９は、本考案の第１３実施形態の超音波観測システムにおける観察モニター画面の一例を示した図。
【図３０】図３０は、本考案の第１５実施形態の超音波観測システムにおけるキーボードの一例を示した図。
【図３１】図３１は、本考案の第１５実施形態の超音波観測システムにおけるタッチパネル画面の一例を示した図。
【図３２】図３２は、本考案の第１５実施形態の超音波観測システムにおける観察モニター画面の一例を示した図。
【図３３】図３３は、本考案の第１５実施形態の超音波観測システムにおける観察モニター画面の他の例を示した図。
【図３４】図３４は、本考案の第１５実施形態の超音波観測システムにおける観察モニター画面の他の例を示した図。
【図３５】図３５は、本考案の第１５実施形態の超音波観測システムにおける観察モニター画面の他の例を示した図。
【図３６】図３６は、本考案の第１５実施形態の超音波観測システムにおける観察モニター画面の他の例を示した図。
【図３７】図３７は、本考案の第１６実施形態の超音波観測システムにおけるキーボードの一例を示した図。
【図３８】図３８は、本考案の第１６実施形態の超音波観測システムにおける観察モニター画面の一例を示した図。
【図３９】図３９は、本考案の第１７実施形態の超音波観測システムにおける観察モニター画面の一例を示した図。
【図４０】図４０は、本考案の第１７実施形態の超音波観測システムにおける観察モニター画面の他の例を示した図。
【図４１】図４１は、本考案の第１７実施形態の超音波観測システムにおける観察モニター画面の他の例を示した図。
【図４２】図４２は、本考案の第１７実施形態の超音波観測システムにおける観察モニター画面の他の例を示した図。
【図４３】図４３は、本考案の第１７実施形態の超音波観測システムにおける観察モニター画面の他の例を示した図。
【図４４】図４４は、本考案の第１７実施形態の超音波観測システムにおける観察モニター画面の他の例を示した図。
【図４５】図４５は、本考案の第１８実施形態の超音波観測システムにおけるタッチパネル画面の一例を示した図。
【図４６】図４６は、本考案の第１９実施形態の超音波観測システムにおけるキーボードの一例を示した図。
【図４７】図４７は、本考案の第１９実施形態の超音波観測システムにおけるタッチパネル画面の一例を示した図。
【図４８】図４８は、本考案の第１９実施形態の超音波観測システムにおける観察モニター画面の一例を示した図。
【図４９】図４９は、本考案の第１９実施形態の超音波観測システムにおけるタッチパネル画面の他の例を示した図。
【図５０】図５０は、本考案の第１９実施形態の超音波観測システムにおけるキーボードの他の例を示した図。
【図５１】図５１は、本考案の第１９実施形態の超音波観測システムにおけるＲＯＩの移動方向を示した図。
【図５２】図５２は、本考案の第１９実施形態の超音波観測システムにおけるタッチパネル画面の他の例を示した図。
【図５３】図５３は、本考案の第１９実施形態の超音波観測システムにおけるキーボードの他の例を示した図。
【図５４】図５４は、本考案の第１９実施形態の超音波観測システムにおけるＲＯＩの大きさ変更を示した図。
【図５５】図５５は、本考案の第２０実施形態の超音波観測システムにおけるキーボードの一例を示した図。
【図５６】図５６は、本考案の第２０実施形態の超音波観測システムにおけるタッチパネル画面の一例を示した図。
【図５７】図５７は、本考案の第２１実施形態の超音波観測システムにおけるタッチパネル画面の一例を示した図。
【図５８】図５８は、本考案の第２１実施形態の超音波観測システムにおける観察モニター画面の一例を示した図。
【図５９】図５９は、本考案の第２１実施形態の超音波観測システムにおける観察モード切り替え可否を示した図。
【図６０】図６０は、本考案の第２２実施形態の超音波観測システムにおけるタッチパネル画面の一例を示した図。
【図６１】図６１は、本考案の第２４実施形態の超音波観測システムにおけるＤＩＣＯＭデータの文字変換フローを示した図である。
【図６２】図６２は、本考案の第２４実施形態の超音波観測システムにおける受信したデータの文字列に対する文字セットを判定するための判別表を示した図である。
【図６３】図６３は、本考案の第２４実施形態の超音波観測システムにおける、ＤＩＣＯＭデータの変換方法の種別を示した図。
【図６４】図６４は、本考案の第２５実施形態の超音波観測システムにおける観察モニター画面の一例を示した図。
【図６５】図６５は、本考案の第２５実施形態の超音波観測システムにおける観察モニター画面の他の例を示した図。
【図６６】図６６は、本考案の第２６実施形態の超音波観測システムにおける観察モニター画面の一例を示した図。
【図６７】図６７は、本考案の第２７実施形態の超音波観測システムにおける観察モニター画面の一例を示した図。
【図６８】図６８は、本考案の第２８実施形態の超音波観測システムにおける観察モニター画面の一例を示した図。
【図６９】図６９は、本考案の第２９実施形態の超音波観測システムにおける観察モニター画面の一例を示した図。
【図７０】図７０は、本考案の第２９実施形態の超音波観測システムにおける観察モニター画面の他の例を示した図。
【図７１】図７１は、本考案の第２９実施形態の超音波観測システムにおける観察モニター画面の他の例を示した図。
【図７２】図７２は、本考案の第２９実施形態の超音波観測システムにおける観察モニター画面の他の例を示した図。
【図７３】図７３は、本考案の第２９実施形態の超音波観測システムにおける観察モニター画面の他の例を示した図。
【図７４】図７４は、本考案の第２９実施形態の超音波観測システムにおける観察モニター画面の他の例を示した図。
【考案を実施するための形態】
【００１０】
以下、図面を参照して本考案の実施形態を説明する。
【００１１】
（第１の実施形態）
図１に示すように、本考案の超音波観測システム１は、被検体に対して超音波を送信し、前記被検体により反射された前記超音波を受信して、受信した前記超音波から得られる超音波信号に基づき画像を生成することを特徴とする。
【００１２】
すなわち、超音波観測システム１は、被検体に対して超音波を送信し、被検体により反射された超音波を受信して、受信した超音波から超音波信号を生成する超音波振動子２（たとえば、電子走査型超音波内視鏡における超音波振動子）と、この超音波振動子２から得られた超音波信号に基づいて画像を生成する画像生成手段３と、画像生成手段３において生成された超音波画像を記憶する記憶手段４と、記憶手段４が記憶している超音波画像を再生する再生手段５と、画像生成手段３において生成されたリアルタイムの超音波画像または再生手段５によって再生された再生超音波画像を表示するモニタ６と、モニタ６に表示される超音波画像に重ねられる所定形状の指標９（図１では通常計測時に係る指標として示す）を表示させるための指標画像表示手段７と、前記指標９を使用して、モニタ６上で超音波画像の所定の距離を計測する計測手段８と、を備える。
【００１３】
なお、前記画像生成手段３、記憶手段４、再生手段５、指標画像表示手段７および計測手段８は、超音波観測装置１ａに配設される。
【００１４】
そして、前記指標画像表示手段７は、複数の指標画像形状を表示し、リアルタイムの超音波画像と再生超音波画像とで指標９の形状を切り替えて表示することを特徴とする。
【００１５】
図２は、第１実施形態の超音波観測システムにおける、通常計測時の表示状態を示した図であり、図３は、第１実施形態の超音波観測システムにおける、再生計測時の表示状態を示した図である。
【００１６】
図２に示すように通常計測時においては、指標画像表示手段７は、計測に使用する指標（カーソル）９を“＋”で表示するよう制御するが、静止画再生時の計測時には、計測に使用するカーソルを図３に示すように“△”に切り替える。
【００１７】
（第２の実施形態）
本考案の超音波観測システム１は、たとえば、ＢモードまたはＣＨ−ＥＵＳモードにおけるＣＨ−Ｂモード等において、超音波画像中のＴｈｅｒｍａｌ  Ｉｎｄｅｘ（ＴＩ：熱的生物効果が起こる可能性を見積もった指標；ＴＩ値が高いほど熱的生物効果を起こす可能性が高くなる）の表示内容をプルダウンメニューから選択することができる。
【００１８】
本実施形態における選択可能なＴＩの種別は以下の通りである。
【００１９】
“ＴＩＳ”：軟部組織を想定した場合のＴＩ値（Ｓｏｆｔ−Ｔｉｓｓｕｅ  Ｔｈｅｒｍａｌ  Ｉｎｄｅｘ）
“ＴＩＢ”：深部に骨があることを想定した場合のＴＩ値（Ｂｏｎｅ  Ｔｈｅｒｍａｌ  Ｉｎｄｅｘ）
また、本考案における超音波観測装置１ａは、これらのＴＩ値の表示切り替えを可能とする。
【００２０】
図７は、本考案における超音波観測装置１ａに電子走査型超音波内視鏡を接続したときのＢモード（超音波の受信エコーの強さを明るさ（Ｂｒｉｇｈｔｎｅｓｓ）の強弱に変換し、画面に表示するモード）の表示画面の一例である。
【００２１】
図７のＢモードの表示画面において、Ｔｈｅｒｍａｌ  Ｉｎｄｅｘとして“ＴＩＳ”が選択されたときは、表示画面における符号２８に示す箇所に“ＴＩＳ”のＴＩ値が表示される。一方、Ｔｈｅｒｍａｌ  Ｉｎｄｅｘとして“ＴＩＢ”が設定されたときは、符号２８に示す箇所に“ＴＩＢ”のＴＩ値が表示される。
【００２２】
このように、本考案における超音波観測装置１ａは、たとえばＢモードにおいて、Ｔｈｅｒｍａｌ  ＩｎｄｅｘのＴＩの種別の表示切り替えが可能である。
【００２３】
ここで、ＣＨ−ＥＵＳモードについて説明する。
【００２４】
本考案の超音波観測システム１は、超音波観測装置１ａに電子走査型超音波内視鏡が接続され、超音波造影剤からの高調波成分を画像化するコントラストハーモニックＥＵＳモード（ＣＨ−ＥＵＳモード）を設定することができる。
【００２５】
ＣＨ−ＥＵＳモードを使用する場合は、超音波観測装置１ａに電子走査型超音波内視鏡を接続し、図４に示すように、超音波観測装置１ａに接続されたキーボードにおけるタッチパネルの画面上の「ＣＨ−ＥＵＳ」ボタンを押すと、タッチパネルの画面がＣＨ−ＥＵＳモード用の画面に切り替わる（図５参照）
一方、観察モニターには、ＣＨ−ＥＵＳモードの超音波画像が表示される（図６参照）
なお、ＣＨ−ＥＵＳモードは、ＣＨ−Ｂモード（超音波造影剤からの高調波成分を、専用のＢモード画像として表示するモード）と、ＣＨ−カラーモード（超音波造影剤からの高調波成分をカラー画像として、ファンダメンタル画像に重ね合わせて表示するモード）とが設定され、ＣＨ−ＥＵＳモードは、必ずＣＨ−Ｂモードから始まる（図６参照）。
【００２６】
（第３の実施形態）
本考案における超音波観測装置１ａは、ビデオシステムセンター（内視鏡の映像信号を処理して観察モニターに表示する信号に変換する装置）と接続され、超音波画像をキーボードにて制御できる“ＵＳモード”の際に、図７のＢモードの表示画面における符号１６に示す箇所において、“ＵＳ”アイコンが表示される。
【００２７】
なお、表示選択により“ＵＳ”以外のモードに変わっているときは、この“ＵＳ”アイコンは表示されない。
【００２８】
（第４の実施形態）
本考案における超音波観測装置１ａは、ビデオシステムセンターと組み合わせるとき、内視鏡画像を子画面（サブスクリーン）として表示しているときに、子画面（サブスクリーン）の表示位置および表示サイズを切り替えることができる。
【００２９】
図８は、本考案における超音波観測装置１ａにおいて子画面（サブスクリーン）の表示位置のバリエーションを示した図である。
【００３０】
図８に示すように、本考案における超音波観測装置１ａにおいては、子画面（サブスクリーン）が超音波画像と重なるモード（図中、タイプＡ）の他、重ならない画面モード（図中、タイプＢ）を選択することができる。
【００３１】
（第５の実施形態）
本考案における超音波観測装置１ａは、キーボードと組み合わせるとき、キーボードにおける情報表示切替キー（図９参照）を押す度に、モニタ画面上の文字情報が段階的に切り替わる（図１０参照）。
【００３２】
ここで、図１０に示すように、本実施形態では、情報表示切替キーの選択より画面に表示する文字を所定の範囲において消去することができる。すなわち、情報表示切替キーを押す度に、全文字表示→省略表示１→省略表示２→省略表示３→全文字表示に切り替わる。なお、電源をオフにした場合、および、検査終了処理を行うと全文字表示に切り替わる。
【００３３】
（第６の実施形態）
本考案における超音波観測装置１ａは、キーボードと組み合わせるときであって、電子走査型超音波内視鏡を使用時において、超音波の送信時の焦点を調整することができる。焦点付近が最も超音波画像の分解能が良くなる。
【００３４】
図１１に示すように、キーボードにおけるタッチパネルに表示される画像調整メニューの「焦点調整」ボタンを押すと、焦点調整メニューに切り替わる（図１２参照）。そして、タッチパネル上の「焦点数」ボタンを押すと、焦点数が切り替わる（図１３参照）。ここで、焦点ボタンを押す毎に焦点数が、図１３に示すように１，２と切り替わる。なお、現在の設定は、図１４に示すように観察モニター上に焦点マークとして表示される。
【００３５】
図１４は、焦点数が２個のときを示すが、本実施形態においては、Ｂモード以外では焦点数は“１”個に固定される。
【００３６】
すなわち、組織からの高調波成分を用いて画像化するＴＨＥモード（Ｔｉｓｓｕｅ  Ｈａｒｍｏｎｉｃ  Ｅｃｈｏモード）のときは、上記焦点数は“１”個に固定（動くことは可能）される。
【００３７】
なお、焦点数が１個に固定されるとき、図１４に示す如き焦点マークは、電子ラジアル走査型超音波内視鏡接続時は１つに、電子コンベックス走査型超音波内視鏡接続時は２つ表示されるようになっている。
【００３８】
（第７の実施形態）
本考案における超音波観測装置１ａは、内部メモリーに記憶した画像データを外部記憶装置にコピーすることができる。その際に、図１５に示すように、コピーしている間は、モニタ上にプログレスバーウィンドウが表示される。
【００３９】
また、当該ウィンドウにおける「キャンセル」ボタンを押すと、コピーを中止することができるが、本実施形態においては、前記プログレスバーウィンドウが表示されているときは、所定のポインタ（図１５中の矢印マーク）を前記ウィンドウ内に表示される「キャンセル」ボタン上を避けて表示するようにしている。
【００４０】
これは、誤ってキーボード上の確定キーまたはリターンキーを押してしまった場合に、当該コピーがキャンセルにならないようにするためである。
【００４１】
（第８の実施形態）
本考案における超音波観測装置１ａは、動画記録を終了する際における動画を保存する工程において、図１６に示すように、保存中であることを示すプログレスバーを、情報表示切替設定に拘わらず、保存工程中は常にモニタ上に表示するように制御する。
【００４２】
（第９の実施形態）
本考案における超音波観測装置１ａは、ＧＩ（消化管観察用）、ＰＢ（胆膵観察用）、ＲＳＰ（気管支観察用）等の観察モードごとにタブ画面があり、あらかじめ登録されたコメントテキスト（ＴＥＸＴ１〜８）を、編集・登録することができる。
【００４３】
まず、図１７に示すように、キーボードにおける「設定」キーを押すと、観察モニターに設定画面が表示される（図１８参照）。
【００４４】
次に、矢印キーまたはトラックボールを使用して観察モニター上に表示される「コメント」分類を選択すると、図１９に示すような各タブ「ＧＩ」、「ＰＢ」、「ＲＳＰ」の設定項目が表示される。
【００４５】
次に、操作者は、図１９に示す各タブのうちから、編集または登録するタブを選択し、図２０に示すＴＥＸＴ１〜８の内容をキーボードを使用して入力する。また、本実施形態においては、上記入力された文字列をキーボード上のＬＣＤ（タッチパネル画面）にも表示させる。
【００４６】
（第１０の実施形態）
本考案における超音波観測装置１ａは、画像を外部ファイリング装置に対して転送可能である。当該超音波観測装置１ａは、データ管理の画像リストにおいて、未転送の画像に対して所定の印、たとえば図２１に示すような□マークをつける。
【００４７】
（第１１の実施形態）
本考案における超音波観測装置１ａは、電子走査型超音波内視鏡が接続され、超音波造影剤からの高調波成分を画像化するＣＨ−ＥＵＳモード（コントラストハーモニックＥＵＳモード）において、造影剤を流し入れる直前でスタートさせるカウンタを、動画記録開始操作に連動させることも可能である。
【００４８】
（第１２の実施形態）
本考案における超音波観測装置１ａは、電子走査型超音波内視鏡が接続されるとき、パルスドプラ波形で検査する電子走査ＰＷモード（パルスドプラモード）で検査をすることができる。このＰＷモードでは、指定した目的とする部位だけの血流情報（血流の速度変化）をグラフに表示する。
【００４９】
この電子走査ＰＷモードで検査を行う場合は、図２２に示すように、キーボードの「ＰＷ」キーを押すと、キーボードのタッチパネルの画面がＰＷメイン画面に切り替わる（図２３参照）。
【００５０】
次に、操作者が図２４に示すように、タッチパネル上のＰＷ開始ボタンを押すと、図２５に示すようなサンプルボリュームで指定した位置のパルスドプラ波形の取得を開始する。そして、パルスドプラ波形は、観察モニタ上の右側画面の左側から表示され、右側に随時表示される（図２５参照）。
【００５１】
一方、本実施形態では、図２６に示すように、キーボードのタッチパネルの画面上に音量調整用ボタンが設けられ、このボタンを押すことによりパルスドプラ波形の音量を調整し、本考案における超音波観測装置１ａに内蔵されるスピーカとリアパネル「ＡＵＤＩＯ  ＯＵＴ端子」とから出力される音量が変化する。
【００５２】
具体的に、音量調整の「＋」ボタンを押す度に音量が大きくなり、「−」ボタンを押す度に音量が小さくなる。
【００５３】
なお、この音量調整は、フリーズ中は機能せず、パルスドプラモードが停止中は操作できない。さらに、調整された音量は電源オフでも記憶される。
【００５４】
（第１３の実施形態）
本考案における超音波観測装置１ａは、電子走査型超音波内視鏡を接続し、カラー画像により、相対的な組織の弾性情報を表示するＥＬＳＴモード（エラストグラフィックモード）を選択することができる。
【００５５】
ＥＬＳＴモードを使用する場合は、本考案における超音波観測装置１ａに電子走査型超音波内視鏡を接続し、図２７に示すように、超音波観測装置１ａに接続されたキーボードにおけるタッチパネルの画面上の「ＥＬＳＴ」ボタンを押すと、タッチパネルの画面がＥＬＳＴモード（エラストグラフィックモード）用の画面に切り替わる（図２８参照）
一方、観察モニターには、ＥＬＳＴモードの超音波画像が表示される（図２９参照）
本実施形態においては、このＥＬＳＴモードにおけるＥＬＳＴ画像の焦点を自動で設定する。
【００５６】
（第１４の実施形態）
本考案における超音波観測装置１ａは、接続されるキーボードにおけるタッチパネルの画面上において、対応するレンジボタンを押すことで観察モニターの表示レンジを直接設定することが可能である。
【００５７】
（第１５の実施形態）
本考案における超音波観測装置１ａは、電子走査型超音波内視鏡が接続されるとき、パルスドプラ波形で検査する電子走査ＰＷモード（パルスドプラモード）で検査をすることができる。このＰＷモードでは、指定した目的とする部位だけの血流情報（血流の速度変化）をグラフに表示する。
【００５８】
この電子走査ＰＷモードで検査を行う場合は、図２２に示すように、キーボードの「ＰＷ」キーを押すと、キーボードのタッチパネルの画面がＰＷメイン画面に切り替わる（図２３参照）。
【００５９】
次に、操作者が図２４に示すように、タッチパネル上のＰＷ開始ボタンを押すと、サンプルボリュームで指定した位置のパルスドプラ波形の取得を開始する。そして、パルスドプラ波形は、観察モニタ上の右側画面の左側から表示され、右側に随時表示される（図２５参照）。
【００６０】
このＰＷモードにおいて、超音波観測装置１ａに接続されるキーボード上の「キャリパ」キー等を押すと（図３０参照）、タッチパネル画面は図３１に示すような、ＰＷモードの計測画面に切り替わる。
【００６１】
一方、「キャリパ」キーを１度押した場合は、観察モニターは、瞬時流速計測モード画面となり、図３２に示すように、ＰＷ画面の中央に小さな「＋」マークが表示される。そのとき、計測表示エリアにマークの位置の流速値（Ｖ１）が表示される。
【００６２】
次に操作者は、トラックボールまたは矢印キーで計測したい部分のパルスドプラ波形にマーク（カーソル）を移動させる。そして、パルスドプラ波形上にマーク（カーソル）が移動すると、自動で計測が開始され、計測結果は、計測表示エリアに表示される（図３３参照）。図３３は、計測点の瞬間流速が１２．３ｃｍ／ｓであることを示している。
【００６３】
ここで、計測点を追加したい場合は、キーボード上の「確定」キーを押す（図３０参照））。これにより１つ目の計測が確定し、計測点の近傍に計測の名称（Ｖ１）が表示されると共に、計測点（Ｖ１）の小さな「＋」マークが大きな「＋」マークに変わる（図３４参照）。
【００６４】
このとき、この大きな「＋」マークは、次の計測点候補（Ｖ２）用のマークがあたかも計測点（Ｖ１）のマークに重なるが如きであるが、計測表示エリアには、この計測点候補（Ｖ２）に係る瞬間流速値は表示されない（図３４参照）。
【００６５】
次に、操作者が計測点候補（Ｖ２）用のマーク（カーソル）を移動させると、図３５に示すように、次の計測点候補（Ｖ２）用の小さな「＋」マークが画面中央に表示され、計測値（確定前の値）も計測表示エリアに表示されはじめる（図３５参照）。
【００６６】
そして、上記同様に、トラックボールまたは矢印キーで計測したい部分のパルスドプラ波形上にマークを移動させると自動で計測が開始され、計測結果が計測表示エリアに表示され（図３６参照）、キーボード上の「確定」キーを押すと２つ目の計測が確定し、計測点の近傍に計測の名称（Ｖ２）が表示されると共に、計測点（Ｖ２）の小さな「＋」マークが大きな「＋」マークに変わる（図３６参照）。
【００６７】
（第１６の実施形態）
本考案における超音波観測装置１ａは、電子走査型超音波内視鏡が接続されるとき、キーボードにおける「タイマー」キーを押すと、タイマの動作を開始する（図３７）。このタイマーは、たとえば、造影剤を入れた際にスタートさせる。
【００６８】
このタイマー動作が開始されると、図３８に示すように、その経過時間は観察画面に表示される。そして、再度「タイマー」キーを押すとタイマーは停止し、再度「タイマー」キーを押すと経過時間はリセットされ、さらに再度「タイマー」キーを押すと１回目の状態に戻る。
【００６９】
（第１７の実施形態）
本考案における超音波観測装置１ａは、システム管理者または営業マンが製品を廃棄する際に、内部記憶部の内容を物理フォーマット（オールリセット）することができる手段を備えている。
【００７０】
以下、その手順を説明する。
【００７１】
なお、このオールリセットによると、データは全て消去され、消去したデータは復元できない。
【００７２】
まずシステム管理者（または営業マン、以下同様）は、キーボードと観察モニタ以外の周辺機器は全て取り外す。次に、キーボードの設定キーを押すと、観察モニターに設定画面が表示される（図１８参照）。ここで、矢印キーにより「セキュリティ」分類を選択すると、図３９に示すように「セキュリティ」画面が表示される。
【００７３】
次に、システム管理者は、「セキュリティ」画面上で矢印キーにて「オールリセット」ボタンを押すと、パスワード確認画面が表示され（図４０参照）、ここでシステム管理者のパスワードを入力し、「ＯＫ」ボタンを押すと認証が完了し、オールリセット画面が表示される（図４１参照）。
【００７４】
次に、システム管理者は、オールリセット画面において実行ボタンを押すと、確認メッセージが表示され（図４２参照）、「はい」を選択するとオールリセット作業が開始される。
【００７５】
なお、このオールリセット作業中は観察モニター上にプログレスバーが表示され、オールリセットが完了すると確認メッセージが表示され（図４３参照）、その後、超音波観測装置１ａは自動で再起動し、最後の確認メッセージが表示される（図４４参照）。
【００７６】
その後、超音波観測装置１ａの電源スイッチをオフにしてその後再度電源スイッチをオンにし、再起動し、観察画面が表示されるとオールリセットが完了する。
【００７７】
（第１８の実施形態）
本考案における超音波観測装置１ａは、接続されるキーボード上におけるタッチパネル画面で、動画記録を行うため以下に示すボタンを有する。
【００７８】
図４５に示すように、ＣＨ−ＥＵＳモードにおけるＣＨ−ＥＵＳメイン画面に「動画記録」ボタンと、動画記録の種別を選択するボタンを追加した。ここで、動画記録の種別として、通常の動画記録である“ＧＥＮＥＲＡＬ”と、ＴＩＣ解析用の動画記録である“ＴＩＣ”との２つの種別の設定値を選択することができる。
【００７９】
なお、この選択されたモードはバックアップせずに、ＣＨ−ＥＵＳモード開始時は、必ず、“ＧＥＮＥＲＡＬ”が設定される。また、タッチパネル画面がＣＨ−ＥＵＳメイン画面以外の画面に移ると、設定値は“ＧＥＮＥＲＡＬ”に戻る。
【００８０】
（第１９の実施形態）
本考案における超音波観測装置１ａは、電子走査型超音波内視鏡を接続し、接続されるキーボード上におけるタッチパネル画面で、「ＦＬＯＷ」キーを押すと（図４６参照）、キーボードのタッチパネルの画面がフローメイン画面に切り替わる（図４７参照）。一方、観察モニターは、ＦＬＯＷモードの超音波画像が表示される（図４８参照）。
【００８１】
本考案における超音波観測装置１ａは、ＦＬＯＷモードのドプラ処理を行う領域（ＲＯＩ）の位置を変更することができる。
【００８２】
キーボードのタッチパネルの画面がフローメイン画面に切り替わっているとき（図４７参照）、図４９に示すように、タッチパネル画面の「ＬＯＣＡＴＩＯＮ」ボタンを押すと、トラックボールと矢印キーにＲＯＩの位置の変更機能が割り当てられ、ＬＯＣＡＴＩＯＮの４つのボタンが表示される（図４９参照）。
【００８３】
ここで、たとえば、血流の有無を確認したい領域にトラックボールまたは矢印キーを使ってＲＯＩを移動すると（図５０）、ＲＯＩは、図５１に示すように移動する。
【００８４】
一方、キーボードのタッチパネル画面の「ＳＩＺＥ」ボタンを押すと、トラックボールと矢印キーにＲＯＩの位置の変更機能が割り当てられ、タッチパネルのＬＯＣＡＴＩＯＮの４つのボタンが４つのＳＩＺＥボタンに変更表示される（図５２参照）。
【００８５】
ここで、たとえば、トラックボールまたは矢印キーを使ってＲＯＩの大きさを変更すると（図５３）、ＲＯＩの大きさは、図５４に示すように変更される。
【００８６】
なお、本考案における超音波観測装置１ａは、キーボードの「確定」キー押す度に（図５０、図５３参照）、ＲＯＩの位置（ＬＯＣＡＴＩＯＮ）と、大きさ（ＳＩＺＥ）を変える機能が切り替わる。
【００８７】
（第２０の実施形態）
本考案における超音波観測装置１ａは、ビデオシステムセンターが接続される場合、キーボードもビデオシステムセンターに接続し操作することができる。
【００８８】
図５５に示すように、キーボードの「表示選択」キーを押すと、内視鏡モードに切り替わり、観察モニターには内視鏡画像が表示される。
【００８９】
また、キーボードにおいてビデオシステムセンターの操作は、キーボードのタッチパネルおよびＦｎキーと英数字キーの組み合わせで行う。そして、組み合わせるビデオシステムセンターごとにタッチパネルの画面が変わるようになっている。
【００９０】
図５６は、あるビデオシステムセンターと組み合わせときのタッチパネルの画面の一例を示したものである。
【００９１】
この図に示すように、ビデオシステムセンターにおける重要なボタンについては、共通画面として常にタッチパネルの画面に表示し、その他のボタンは、タブで切り替えて表示する。また、他のビデオシステムセンターに変更された際には、このタブを自動で切り替えるようになっている。
【００９２】
（第２１の実施形態）
本考案における超音波観測装置１ａは、観察対象ごとに最適な設定を選択することができる。
【００９３】
図５７に示すように、キーボードのタッチパネルの画面上の「観測モード選択」ボタンを押すごとに、消化管推奨設定：ＧＩ，胆膵推奨設定：ＰＢ，気管支推奨設定：ＲＳＰと変わる。すなわち、ゲイン、コントラスト等の画質設定および画像方向、アノテーションリストを、消化管，胆膵，気管支（呼吸器）ごとに一括して切り替えることができる。
【００９４】
なお、現在の設定は、タッチパネル画面上の「観測モード選択」ボタンの上（図５７参照）と、観察モニター上の一番左下に表示する（図５８参照）。
【００９５】
また、接続される超音波内視鏡、プローブにより切り替え可能なモードが異なる（図５９参照）。さらに、消化管と気管支（呼吸器）とは、内視鏡の種類を自動的に判別し、モードを切り替えるようになっている。
【００９６】
さらに、本考案における超音波観測装置１ａは、組織からの高調波成分を用いて画像化するＴＨＥモード（Ｔｉｓｓｕｅ  Ｈａｒｍｏｎｉｃ  Ｅｃｈｏモード）のときは、観察モードごとに初期周波数設定をすることができる。また、消化管モードと胆膵モードでは、周波数、ＴＨＥモードオンオフを独立に設定することができる。
【００９７】
（第２２の実施形態）
本考案における超音波観測装置１ａは、ＣＨ−ＥＵＳモードにおいて、深部観察用の高音圧モード（Ｈ−ＭＩモード）を設定することができる（図６０参照）。このＨ−ＭＩモードは、キーボードのタッチパネル画面における「Ｈ−ＭＩモード」ボタンを押すことにより設定され、一時的にメカニカルインデックス（ＭＩ）値を高くするモードである。
【００９８】
また、Ｈ−ＭＩモードにおけるメカニカルインデックス（ＭＩ）値の初期値はユーザにより変更可能である。
【００９９】
（第２３の実施形態）
本考案における超音波観測装置１ａは、サービスメニューに仕向地設定を設けており、以下に示す設定を自動的に変更する。
【０１００】
・日付表示形式
・ビデオボード設定（ＮＴＳＣ／ＰＡＬ）
・ストレイン比計測の使用のＯＮ／ＯＦＦ
・ＤＩＣＯＭの文字コード
（第２４の実施形態）
本考案における超音波観測装置１ａは、複数機種のビデオシステムセンターを接続可能とする。
【０１０１】
図６１は、本実施形態におけるＤＩＣＯＭデータの文字変換フローを示した図である。
【０１０２】
図６１に示すように超音波観測装置１ａは、まず、これら複数機種のビデオシステムセンターから所定のデータを受信すると、接続されたビデオシステムセンターの機種を判定する（ＳＴＥＰ  ０）。
【０１０３】
次に、超音波観測装置１ａは、ビデオシステムセンターの機種別に、受信したデータの文字列が、ＩＳＯ−ＩＲ  ６，１００，１３，１９２の、いずれの範囲となるかを判定し、すなわち、文字列に対する文字セットを判定する（ＳＴＥＰ  １）。
【０１０４】
ここで、図６２は、本実施形態において受信したデータの文字列に対する文字セットを判定するための判別表を示した図である。
【０１０５】
図６２に示すように、接続されたビデオシステムセンターの機種が、たとえば機種Ａまたは機種Ｂの場合であって、受信したデータの文字列がＵＳ  ＡＳＣＩＩの記号、数字、Ａ−Ｚ，ａ−ｚで構成される場合、文字セットはＩＳＯ−ＩＲ６であると判定する。
【０１０６】
次に超音波観測装置１ａは、上述したＳＴＥＰ  ０およびＳＴＥＰ  １の情報、すなわち、接続されたビデオシステムセンターの機種判定情報と、受信したデータの文字列に対する文字セット判定情報とに加え、当該超音波観測装置１ａの動作モード情報を用い、図６３に示す表に基づいてＤＩＣＯＭデータの変換方法を選定する（ＳＴＥＰ  ２）。
【０１０７】
ここで、図６３に示す表において、
(1) の場合：受信時には、データはそのまま受信し、送信時には、受信済みの患者情報を変換せずに、他の装置にＤＩＣＯＭ送信する。
【０１０８】
(2) の場合：受信時には、データはそのまま受信し、送信時には、受信済みの患者情報を変換して、他の装置にＤＩＣＯＭ送信する。
【０１０９】
(3) の場合：受信時には、故障メッセージを表示してそのデータを破棄し、他の装置に対してＤＩＣＯＭ送信はしない。
【０１１０】
（第２５の実施形態）
本考案における超音波観測装置１ａは、サービス用の機能として振動子チェック機能を備える。
【０１１１】
図６４は、観察モニター画面の一例であって、振動子チェック機能モードを示した画面である。また、図６５は、振動子の各エレメントの状態の詳細を示す一表示例である。
【０１１２】
本実施形態の超音波観測装置１ａにおいてサービスマンは、図６４に示す画面を用いて振動子に係る各チェックを行う。
【０１１３】
（第２６の実施形態）
本考案における超音波観測装置１ａは、サービス用の機能として音響パワー測定機能を備える。
【０１１４】
図６６は、観察モニター画面の一例であって、音響パワー測定機能モードを示した画面である。
【０１１５】
本実施形態の超音波観測装置１ａにおいてサービスマンは、図６６に示す画面を用いて音響パワーの測定を行う。
【０１１６】
（第２７の実施形態）
本考案における超音波観測装置１ａは、サービス用の機能としてダイナミックレンジ測定機能を備える。
【０１１７】
図６７は、観察モニター画面の一例であって、ダイナミックレンジ測定機能モードを示した画面である。
【０１１８】
ダイナミックレンジ測定時には、図に示すように観察画面上に“Ｄ−Ｒａｎｇｅ：Ｏｎ”の表示がなされる。
【０１１９】
本実施形態の超音波観測装置１ａにおいてサービスマンは、図６７に示す画面を用いてダイナミックレンジ測定の測定を行う。
【０１２０】
（第２８の実施形態）
本考案における超音波観測装置１ａは、サービス用の機能としてドップラノイズ定量化機能を備える。
【０１２１】
図６８は、観察モニター画面の一例であって、ドップラノイズ定量化機能モードを示した画面である。
【０１２２】
ドップラノイズ定量化機能モードの際は、図に示すように観察画面上に、通常のフローモードの表示に加え、“Ｄ．Ｎ．：＊＊＊＊．＊”と表示され、文字でドップラノイズのレベルを表示する。
【０１２３】
本実施形態の超音波観測装置１ａにおいてサービスマンは、図６８に示す画面を用いてドップラノイズのレベルを確認する。
【０１２４】
（第２９の実施形態）
本考案における超音波観測装置１ａは、サービス用の機能としてソフトウェアアップデートツールのバージョン確認機能を備える。
【０１２５】
図６９は、観察モニター画面の一例であって、ソフトウェアアップデートのバージョン確認画面である。
【０１２６】
本実施形態の超音波観測装置１ａにおいてサービスマンは、図６９に示す画面を用いてソフトウェアアップデートのバージョンがどう変更されるかを確認する。
【０１２７】
図中、“ＶＥＲＳＩＯＮ  ＮＮ．ＮＮ  ＞＞  ＮＮ．ＮＮ”が“ＶＥＲＳＩＯＮ  ０１．００  ＞＞  ０２．００”とあったら、バージョンが１．００から２．００にバージョンアップされていること示す。
【０１２８】
図７０は、観察モニター画面の一例であって、新しいソフトウェアをインストールする際の表示画面である。
【０１２９】
この図７０に示すように、画面下のプログレスバーが右端まで到達すれば、アップデートが完了したことになる。
【０１３０】
図７１は、観察モニター画面の一例であって、新しいソフトウェアのインストールが完了し、アップデートが完了した際の表示画面である。
【０１３１】
また、図７２、図７３、図７４は、それぞれ、上記図６９、図７０、図７１（いずれも日本語画面）に対する英語画面である。
【図１】
0003188890.tif 000003
【図２】
0003188890.tif 000004
【図３】
0003188890.tif 000005
【図８】
0003188890.tif 000006
【図９】
0003188890.tif 000007
【図１４】
0003188890.tif 000008
【図１６】
0003188890.tif 000009
【図１７】
0003188890.tif 000010
【図３７】
0003188890.tif 000011
【図３８】
0003188890.tif 000012
【図３９】
0003188890.tif 000013
【図４０】
0003188890.tif 000014
【図４１】
0003188890.tif 000015
【図４２】
0003188890.tif 000016
【図４３】
0003188890.tif 000017
【図４４】
0003188890.tif 000018
【図６１】
0003188890.tif 000019
【図６２】
0003188890.tif 000020
【図６３】
0003188890.tif 000021
【図４】
0003188890.tif 000022
【図５】
0003188890.tif 000023
【図６】
0003188890.tif 000024
【図７】
0003188890.tif 000025
【図１０】
0003188890.tif 000026
【図１１】
0003188890.tif 000027
【図１２】
0003188890.tif 000028
【図１３】
0003188890.tif 000029
【図１５】
0003188890.tif 000030
【図１８】
0003188890.tif 000031
【図１９】
0003188890.tif 000032
【図２０】
0003188890.tif 000033
【図２１】
0003188890.tif 000034
【図２２】
0003188890.tif 000035
【図２３】
0003188890.tif 000036
【図２４】
0003188890.tif 000037
【図２５】
0003188890.tif 000038
【図２６】
0003188890.tif 000039
【図２７】
0003188890.tif 000040
【図２８】
0003188890.tif 000041
【図２９】
0003188890.tif 000042
【図３０】
0003188890.tif 000043
【図３１】
0003188890.tif 000044
【図３２】
0003188890.tif 000045
【図３３】
0003188890.tif 000046
【図３４】
0003188890.tif 000047
【図３５】
0003188890.tif 000048
【図３６】
0003188890.tif 000049
【図４５】
0003188890.tif 000050
【図４６】
0003188890.tif 000051
【図４７】
0003188890.tif 000052
【図４８】
0003188890.tif 000053
【図４９】
0003188890.tif 000054
【図５０】
0003188890.tif 000055
【図５１】
0003188890.tif 000056
【図５２】
0003188890.tif 000057
【図５３】
0003188890.tif 000058
【図５４】
0003188890.tif 000059
【図５５】
0003188890.tif 000060
【図５６】
0003188890.tif 000061
【図５７】
0003188890.tif 000062
【図５８】
0003188890.tif 000063
【図５９】
0003188890.tif 000064
【図６０】
0003188890.tif 000065
【図６４】
0003188890.tif 000066
【図６５】
0003188890.tif 000067
【図６６】
0003188890.tif 000068
【図６７】
0003188890.tif 000069
【図６８】
0003188890.tif 000070
【図６９】
0003188890.tif 000071
【図７０】
0003188890.tif 000072
【図７１】
0003188890.tif 000073
【図７２】
0003188890.tif 000074
【図７３】
0003188890.tif 000075
【図７４】
0003188890.tif 000076